(57)【特許請求の範囲】
【請求項１】
ボディの部品（３１、９０）を取り付けるための、少なくとも１つの連結部材（１０ａ、１０ｂ、９４、９５、１１０、２１０、３１０）を有する自動車（３０）のボディの部品（３１、９０）の支持装置（１、９１、１０１、２０１、３０１）において、各上記連結部材（１０ａ、１０ｂ、９４、９５、１１０、２１０、３１０）は、上記連結部材（１０ａ、１０ｂ、９４、９５、１１０、２１０、３１０）に所定の強さの力が加えられた時に、上記支持装置（１、９１、１０１、２０１、３０１）から分離するようになされており、
上記連結部材（１０ａ、１０ｂ、９４、９５、１１０）は、上記支持装置（１、９１、１０１）と一体をなし、上記連結部材（１０ａ、１０ｂ、９４、９５、１１０）は、上記支持装置（１、９１、１０１）の本体（２、９２、１０２）から破断によって分離するようになされており、
上記連結部材（１０ａ、１０ｂ、９４、９５、１１０）と上記支持装置（１、９１、１０１）の本体（２、９２、１０２）との間の接合部は、少なくとも１つの破断領域（３、４、１０３、１０４）によって構成され、上記破断領域（３、４、１０３、１０４）の機械的強度は、一方では上記連結部材（１０ａ、１０ｂ、９４、９５、１１０）の機械的強度よりも、他方では上記本体（２、９２、１０２）の機械的強度よりも低く、
上記連結部材（１０ａ、１０ｂ、９４、９５、１１０、２１０、３１０）の概ね直下に自由空間（２０ａ、２０ｂ、９７、１２０、２２０、３２０）を有し、上記自由空間（２０ａ、２０ｂ、９７、１２０、２２０、３２０）は、分離後の関連する上記連結部材（１０ａ、１０ｂ、９４、９５、１１０、２１０、３１０）の、上記支持装置（１、９１、１０１、２０１、３０１）の中への、少なくとも部分的な押し込みを可能にするようになされており、
各上記自由空間（２０ａ、２０ｂ、９７、１２０、２２０、３２０）は、分離後の関連する上記連結部材（１０ａ、１０ｂ、９４、９５、１１０、２１０、３１０）の全体を受け入れるようになされていることを特徴とする、自動車のボディの部品の支持装置。
【請求項２】
上記破断領域（３、４、１０３、１０４）は、一方では上記連結部材（１０ａ、１０ｂ、９４、９５、１１０）に、他方では上記本体（２、９２、１０２）に、それぞれ直接隣接する部分よりも、小さい断面を有することを特徴とする、請求項１に記載の自動車のボディの部品の支持装置。
【請求項３】
ボディの部品（３１、９０）を取り付けるための、少なくとも１つの連結部材（１０ａ、１０ｂ、９４、９５、１１０、２１０、３１０）を有する自動車（３０）のボディの部品（３１、９０）の支持装置（１、９１、１０１、２０１、３０１）において、各上記連結部材（１０ａ、１０ｂ、９４、９５、１１０、２１０、３１０）は、上記連結部材（１０ａ、１０ｂ、９４、９５、１１０、２１０、３１０）に所定の強さの力が加えられた時に、上記支持装置（１、９１、１０１、２０１、３０１）から分離するようになされており、
上記連結部材（２１０）は、上記支持装置（２０１）の本体（２０２）と、ほぞ継ぎ手によって直接係合する独立した部品からなり、上記連結部材（２１０）は、相互間の係合解除によって上記本体（２０２）から分離するようになされており、
上記連結部材（２１０）と上記支持装置（２０１）の本体（２０２）との間の接合は、少なくとも１つの連絡領域（２０３、２０４）によって構成され、上記連絡領域において、上記連結部材（２１０）と上記本体（２０２）は、ほぞ継ぎ手によって局部的に係合し、
各上記連絡領域（２０３、２０４）において、上記ほぞ継ぎ手は、上記支持装置（２０１）から分離後の上記連結部材（２１０）の移動の向きと異なる向きに設けられ、
上記連結部材（１０ａ、１０ｂ、９４、９５、１１０、２１０、３１０）の概ね直下に自由空間（２０ａ、２０ｂ、９７、１２０、２２０、３２０）を有し、上記自由空間（２０ａ、２０ｂ、９７、１２０、２２０、３２０）は、分離後の関連する上記連結部材（１０ａ、１０ｂ、９４、９５、１１０、２１０、３１０）の、上記支持装置（１、９１、１０１、２０１、３０１）の中への、少なくとも部分的な押し込みを可能にするようになされており、
各上記自由空間（２０ａ、２０ｂ、９７、１２０、２２０、３２０）は、分離後の関連する上記連結部材（１０ａ、１０ｂ、９４、９５、１１０、２１０、３１０）の全体を受け入れるようになされていることを特徴とする、自動車のボディの部品の支持装置。
【請求項４】
ボディの部品（３１、９０）を取り付けるための、少なくとも１つの連結部材（１０ａ、１０ｂ、９４、９５、１１０、２１０、３１０）を有する自動車（３０）のボディの部品（３１、９０）の支持装置（１、９１、１０１、２０１、３０１）において、各上記連結部材（１０ａ、１０ｂ、９４、９５、１１０、２１０、３１０）は、上記連結部材（１０ａ、１０ｂ、９４、９５、１１０、２１０、３１０）に所定の強さの力が加えられた時に、上記支持装置（１、９１、１０１、２０１、３０１）から分離するようになされており、
上記連結部材（３１０）は、上記支持装置（３０１）の本体（３０２）に、ヒューズ部を形成する少なくとも１つの中間部材（３０３、３０４）によって組みつけられる、独立した部品からなり、上記連結部材（３１０）は、各上記中間部材（３０３、３０４）の破断によって上記本体（３０２）から分離するようになされており、
各上記中間部材（３０３、３０４）は、一方では上記連結部材（３１０）の機械的強度よりも、他方では上記支持装置（３０１）の本体（３０２）の機械的強度よりも、低い機械的強度を有し、
上記連結部材（１０ａ、１０ｂ、９４、９５、１１０、２１０、３１０）の概ね直下に自由空間（２０ａ、２０ｂ、９７、１２０、２２０、３２０）を有し、上記自由空間（２０ａ、２０ｂ、９７、１２０、２２０、３２０）は、分離後の関連する上記連結部材（１０ａ、１０ｂ、９４、９５、１１０、２１０、３１０）の、上記支持装置（１、９１、１０１、２０１、３０１）の中への、少なくとも部分的な押し込みを可能にするようになされており、
各上記自由空間（２０ａ、２０ｂ、９７、１２０、２２０、３２０）は、分離後の関連する上記連結部材（１０ａ、１０ｂ、９４、９５、１１０、２１０、３１０）の全体を受け入れるようになされていることを特徴とする、自動車のボディの部品の支持装置。
【請求項５】
上記連結部材（１０ａ、１０ｂ、９４、９５、１１０、２１０、３１０）は、所定の強さの力が加えられた時には、更に、分離後のその移動方向に概ね沿って変形するようになされていることを特徴とする、請求項１〜４のいずれか１つに記載の自動車のボディの部品の支持装置。
【請求項６】
上記ボディの部品は、自動車（３０）のフェンダー（３１）であることを特徴とする、請求項請求項１〜５のいずれか１つに記載の自動車のボディの部品の支持装置。
【請求項７】
上記ボディの部品（３１、９０）は、自動車（３０）のフード（９０）であることを特徴とする、請求項１〜６のいずれか１つに記載の自動車のボディの部品の支持装置。
【請求項８】
請求項１〜７のいずれか１つに記載の、ボディの部品の支持装置（１、９１、１０１、２０１、３０１）の少なくとも１つを有することを特徴とする自動車。
【発明の詳細な説明】
【技術分野】
【０００１】
本発明は、自動車の構造にボディの部品を支持するための支持装置及び自動車に関する。
【背景技術】
【０００２】
自動車のボディは、一般に、シャシーを形成するリジッドな構造に連結される複数の異なる部品から構成される。これらの部品の中で、特に自動車の前輪を覆って囲む、２つの前部フェンダーに着目する。同じく、フロントガラスに近接した領域に関節取り付けされ、技術的前面ＦＡＴ（ｆａｃｅ  ａｖａｎｔ  ｔｅｃｈｎｉｑｕｅ）と呼ばれる構造に対向して設けられたフードに着目する。
【０００３】
自動車のボディの構造にフェンダーを支持するために、該フェンダーとボディとの間のインターフェースを形成する支持装置を使用することが知られている。この支持装置には、一般に、固定点を形成する幾つかの支持部材が設けられている。これらの固定点の上に、特にフェンダーの上部が連結されるようになる。一方、支持装置自身は、一般にねじ止めによって、ボディの構造に取り付けられる。
【０００４】
しかしながら、このタイプのフェンダーの支持装置は、自動車との正面衝突の際の歩行者の保護に関する将来の規格に不適合になるという問題を呈する。この種の支持をもたらすリジッドな組み立てのために、フェンダーは、実際、いかなる衝撃も、部分的にさえ緩和することはできず、従って犠牲者の身体損傷のリスクを制限することはできない。フェンダーの上部に対する全ての衝撃は、固定部材に対して実際は概ね直角に作用する。フェンダーの支持部材の剛性と組み合わされた固定部材の構造の剛性は、フェンダーがへこむことに対して抵抗する性質を有する。
【０００５】
同様な概念において、前部のフードは、少なくとも１つがフードの錠を有する複数の支持点によって、技術的前面ＦＡＴに取り付けられる。上述したものと類似の衝突の際に、これらの支持点も、フードがへこむことに対する抵抗を生じる。
【０００６】
これらの問題を解消するために、変形可能な固定部材が設けられたボディの支持部品を使用することが考えられている。しかしながら、個々にとらえられた変形可能な各部材の剛性は小さくても、このような装置全体の抵抗は極めて大きなままであることは明らかである。
【発明の開示】
【発明が解決しようとする課題】
【０００７】
従って、本発明の対象によって解決するべき技術的な課題は、部品を取り付けるための、少なくとも１つの連結部材を有する自動車のボディの部品の支持装置であって、該支持装置は、該支持装置が装着された自動車の前部に対する衝突の際に、特に歩行者に増大された安全性を提供することによって、従来技術の問題を回避することを可能にする、自動車のボディの部品の支持装置を提供することにある。
【課題を解決するための手段】
【０００８】
上記技術的課題の解決は、本発明によれば、各上記連結部材が、上記連結部材に所定の強さの力が加えられた時に、上記支持装置から分離するようになされることからなる。
【０００９】
すなわち、本発明は、ボディの部品を取り付けるための、少なくとも１つの連結部材を有する自動車のボディの部品の支持装置において、各上記連結部材は、上記連結部材に所定の強さの力が加えられた時に、上記支持装置から分離するようになされており、
上記連結部材は、上記支持装置と一体をなし、上記連結部材は、上記支持装置の本体から破断によって分離するようになされており、
上記連結部材と上記支持装置の本体との間の接合部は、少なくとも１つの破断領域によって構成され、上記破断領域の機械的強度は、一方では上記連結部材の機械的強度よりも、他方では上記本体の機械的強度よりも低く、
上記連結部材の概ね直下に自由空間を有し、上記自由空間は、分離後の関連する上記連結部材の、上記支持装置の中への、少なくとも部分的な押し込みを可能にするようになされており、
各上記自由空間は、分離後の関連する上記連結部材の全体を受け入れるようになされていることを特徴とする。
【００１０】
また、上記破断領域は、一方では上記連結部材に、他方では上記本体に、それぞれ直接隣接する部分よりも、小さい断面を有することを特徴とする。
【００１１】
また、ボディの部品を取り付けるための、少なくとも１つの連結部材を有する自動車のボディの部品の支持装置において、各上記連結部材は、上記連結部材に所定の強さの力が加えられた時に、上記支持装置から分離するようになされており、
上記連結部材は、上記支持装置の本体と、ほぞ継ぎ手によって直接係合する独立した部品からなり、上記連結部材は、相互間の係合解除によって上記本体から分離するようになされており、
上記連結部材と上記支持装置の本体との間の接合は、少なくとも１つの連絡領域によって構成され、上記連絡領域において、上記連結部材と上記本体は、ほぞ継ぎ手によって局部的に係合し、
各上記連絡領域において、上記ほぞ継ぎ手は、上記支持装置から分離後の上記連結部材の移動の向きと異なる向きに設けられ、
上記連結部材（１０ａ、１０ｂ、９４、９５、１１０、２１０、３１０）の概ね直下に自由空間（２０ａ、２０ｂ、９７、１２０、２２０、３２０）を有し、上記自由空間（２０ａ、２０ｂ、９７、１２０、２２０、３２０）は、分離後の関連する上記連結部材（１０ａ、１０ｂ、９４、９５、１１０、２１０、３１０）の、上記支持装置（１、９１、１０１、２０１、３０１）の中への、少なくとも部分的な押し込みを可能にするようになされており、
各上記自由空間（２０ａ、２０ｂ、９７、１２０、２２０、３２０）は、分離後の関連する上記連結部材（１０ａ、１０ｂ、９４、９５、１１０、２１０、３１０）の全体を受け入れるようになされていることを特徴とする。
【００１２】
また、ボディの部品を取り付けるための、少なくとも１つの連結部材を有する自動車のボディの部品の支持装置において、各上記連結部材は、上記連結部材に所定の強さの力が加えられた時に、上記支持装置から分離するようになされており、
上記連結部材は、上記支持装置の本体に、ヒューズ部を形成する少なくとも１つの中間部材によって組みつけられる、独立した部品からなり、上記連結部材は、各上記中間部材の破断によって上記本体から分離するようになされており、
各上記中間部材は、一方では上記連結部材の機械的強度よりも、他方では上記支持装置の本体の機械的強度よりも、低い機械的強度を有し、
上記連結部材（１０ａ、１０ｂ、９４、９５、１１０、２１０、３１０）の概ね直下に自由空間（２０ａ、２０ｂ、９７、１２０、２２０、３２０）を有し、上記自由空間（２０ａ、２０ｂ、９７、１２０、２２０、３２０）は、分離後の関連する上記連結部材（１０ａ、１０ｂ、９４、９５、１１０、２１０、３１０）の、上記支持装置（１、９１、１０１、２０１、３０１）の中への、少なくとも部分的な押し込みを可能にするようになされており、
各上記自由空間（２０ａ、２０ｂ、９７、１２０、２２０、３２０）は、分離後の関連する上記連結部材（１０ａ、１０ｂ、９４、９５、１１０、２１０、３１０）の全体を受け入れるようになされていることを特徴とする。
【００１３】
また、上記連結部材は、所定の強さの力が加えられた時には、更に、分離後のその移動方向に概ね沿って変形するようになされていることを特徴とする。
【００１４】
また、上記ボディの部品は、自動車のフェンダーであることを特徴とする。
【００１５】
また、上記ボディの部品は、自動車のフードであることを特徴とする。
【００１６】
さらに、本発明の自動車は、上記ボディの部品の支持装置の少なくとも１つを有することを特徴とする。
【発明の効果】
【００１７】
上記のように定義された本発明は、上記連結部材に所定の強さよりも大きい力を加えると、直ちに、各連結部材の本来の剛性以外の剛性に移行することを可能にするという利点を有する。この場合、問題となる力は、考慮対象のボディの部品、すなわち例として先に考察した２つの場合におけるフェンダーの上部またはフード外面に対する、衝撃によってもたらされる圧力である。
【発明を実施するための最良の形態】
【００１８】
本発明は、以下の説明の中で明らかとなる個別に考慮されるべき特長、またはそれらの技術的に可能なあらゆる組み合わせに応じて考慮されるべき特長にも関する。
【００１９】
例として与えられた非限定的なこの説明を読み、添付図面を参照することによって、本発明がいかにして実施されるかが、よりよく理解されるであろう。これらの添付図面において：
図１は、本発明に適応するフェンダーの支持装置が設けられた自動車の前部の部分斜視図であり、
図２は、図１に示すフェンダーの支持装置の上から見た斜視図であり、
図３は、本発明の第１の実施の形態によるフェンダーの支持装置の模式図であり、
図４は、本発明の第２の実施の形態によるフェンダーの支持装置の模式図であり、
図５は、本発明の第３の実施の形態によるフェンダーの支持装置の模式図であり、
図６は、フェンダーの上部に対する衝撃の瞬間における、図１に示された様々な部品の相対的な位置を示し、
図７は、衝突直後の瞬間に観察された部品の相対的な位置の、図６に類似の図であり、
図８は、衝突の充分後の時点に観察された、図６と図７に類似の図であり、
図９は、本発明に適応するフードの支持装置が設けられた自動車の前部を表す図である。
【００２０】
明確化のため、同一の部品は同一の参照符号を付して示した。また、本発明の理解に不可欠な部品のみを、縮尺を考慮することなく、模式図的に示した。
【００２１】
図１は、歩行者との衝突の瞬間における自動車３０の前部を例として示す。図には、支持装置１と、該支持装置１の上に取り付けられたボディのフェンダー３１と、側端部３３がフェンダー３１の上部３４に近接するフード３２が示されている。また、例えば歩行者の頭部に該当しえる外部要素４０が、フェンダー３１の上部３４の高さにおける衝撃を具体的に表すように図示されている。
【００２２】
図２は、図１に示すフェンダーの支持装置１をより明確に示す。例としてのみ選ばれた特有の実施の形態においては、フェンダーの支持装置１には、２つの連結部材１０ａ、１０ｂが設けられ、連結部材１０ａ、１０ｂは、共に、フェンダー３１の上部３４の固定点を形成する。フェンダーの支持装置１の本体２上における連結部材１０ａ、１０ｂの数と配置は勿論変更可能である。また、本体２は、インターフェースとしての機能に適合した任意の形状をとることができる。本体２の下面５は、下面５がビス留めされる、シャシーの部分と一致するように有利に適合される。本体２の上面６は、連結部材１０ａ、１０ｂの位置決めを考慮することを条件として、任意の形状をとることができる。
【００２３】
本発明の目的に応じて、各連結部材１０ａ、１０ｂは、所定の力を受けたとき、すなわち、この場合においては、所定の強さの圧力が各連結部材１０ａ、１０ｂに加えられたときに、フェンダーの支持装置１から分離するようになされている。
【００２４】
図３は、本発明の第１の実施の形態によるフェンダーの支持装置１０１を模式図的に示す。またこの図は、図１、２及び図６〜８に示す例に対応している。ここでは、連結部材１１０は、フェンダーの支持装置１０１と一体をなし、フェンダーの支持装置１０１の本体１０２から破断によって分離するようになされている。このことは、連結部材１１０と、フェンダーの支持装置１０１の本体１０２とが、同一の単体ブロックを構成することを意味する。またこのことは、連結部材１１０は、フェンダーの支持装置１０１の２つの部分の間の構造的な連続性の破断によってのみ、本体１０２から分離することができることを意味する。
【００２５】
この第１の実施の形態の特徴によれば、連結部材１１０とフェンダーの支持装置１０１の本体１０２との接合部は、少なくとも１つの破断領域１０３、１０４によって構成される。破断領域１０３、１０４の機械的強度は、一方では連結部材１１０の機械的強度力よりも、また他方では本体１０２の機械的強度よりも、著しく低い。この実施例においては、連結部材１１０は、互いに連結部材１１０の反対側に位置する別個の２つの破断領域１０３、１０４を介して、本体１０２に連結される。破断領域１０３、１０４の機械的強度は弱いため、連結部材１１０に充分な強さの力が加えられるようになったときに、破断領域１０３、１０４は、フェンダーの支持装置１０１の他の全ての部分よりも早く破断する。
【００２６】
特に有利には、各破断領域１０３、１０４は、直接隣接する部分、すなわち連結部材１１０と本体１０２のそれぞれの厚さよりも小さい厚さの断面を有する。実際、断面の縮小は、単体ブロックのフェンダーの支持装置について一般的であるような、単一で均質な材料からなる部品の機械的強度を局部的に減少させるための最適解を構成する。この部品が受ける可能性がある機械的応力は、実際、最も壊れやすい部分における衝撃応力の最大値となる。このため、破断が生じる場合は、必ずこれらの弱い領域において生じる。
【００２７】
いずれにせよ、所定の応力強度を生ずるように、破断領域１０３、１０４の破断を実際にプログラムすることが可能である。このために、各破断領域１０３、１０４の断面、特にその厚さを利用することが勿論可能である。また、破断の閾値を増加させるか減少させるかに応じて、厚さを大きくしたり小さくしたりすることによって面を変更することができる。また、破断領域１０３、１０４に、例えば切り欠きと事前切断部との少なくとも一方を設けることによって、破断の事前準備をすることも考慮可能である。
【００２８】
この実施例においては、フェンダーの支持装置１０１の全体は、プラスチック材料から作られる。この材料は、一方では、組み立ての際のボディの他の部品に対する、フェンダーの優れた幾何学的な位置づけを、他方では、従来からある組立体の良好な管理を保証するために、充分リジッドな単体ブロックのフェンダーの支持装置を構想するうえで実際理想的である。また、要すれば、多かれ少なかれ粘弾性のプラスチック材料を選択することによって、フェンダーの支持装置１０１に、ある程度の弾性を持たせることも充分可能である。
【００２９】
図４に示す第２の実施の形態においては、連結部材２１０は、ほぞ継ぎ手によってフェンダーの支持装置２０１の本体２０２と連結される、独立した部品からなる。連結部材２１０は、相互間の係合解除によって、本体２０２から分離するようになされている。ここでは、連結部材２１０は、フェンダーの支持装置２０１の本体２０２から構造的に切り離されているが、実質上相補的な部分の相互の係合によって本体２０２の中に確保される。実際には、多かれ少なかれ複雑な、かしめ、嵌め込み等の、ほぞ継ぎ手が関係する。
【００３０】
この第２の実施の形態の特徴によれば、連結部材２１０とフェンダーの支持装置２０１の本体２０２との接合部は、少なくとも１つの連絡領域２０３、２０４によって構成される。連絡領域２０３、２０４において、連結部材２１０と本体２０２は、ほぞ継ぎ手によって局部的に連結される。この実施例においては、連結部材２１０は、互いに連結部材２１０の反対側に位置する別個の２つの連絡領域２０３、２０４を介して、本体２０２と連結される。このように作られた機械的な連結は、組み立てられた部材の本来の構造強度に比して脆弱であるので、連結部材２１０に充分な強さの力が加えられるようになったときには、連結部材２１０と本体２０２は、これらの連絡領域２０３、２０４の箇所で必然的に分離する傾向を有する。
【００３１】
本発明の有利な特徴に従って、各連絡領域２０３、２０４において、ほぞ継ぎ手は、連結部材２１０がフェンダーの支持装置２０１から分離後に移動する向きとは異なる向きに作られる。このことは、ほぞ継ぎ手の方向は可変であることを意味し、ほぞ継ぎ手の方向は連結部材２１０の押し込みの方向と同一であってもよいが、その向きは連結部材２１０の押し込みの方向と必ず異ならなければならない。この意味では、図４に示す例は、ほぞ継ぎ手の方向及び向きがともに押し込みの方向と直交しているので、著しく限定された場合を構成する。いずれにしても、ほぞ継ぎ手の向きは、連結部材２１０の下方への移動の際に分離が実行されるように、概ね上に向けられていなければならない。
【００３２】
図５に示す第３の実施の形態は、連結部材３１０は、ヒューズ部を形成する少なくとも１つの中間部材３０３、３０４によって、フェンダーの支持装置３０１の本体３０２に組み付けられる、独立の部材から構成される点に特徴がある。他方の見地では、支持装置３０１は、各中間部材３０３、３０４の破断によって、フェンダーの支持装置３０１から分離されることが可能である。ここでは、連結部材３１０は、フェンダーの支持装置３０１の本体３０２から構造的に切り離されているが、間接的に本体３０２に保持される。
【００３３】
この第３の実施の形態の特徴によれば、各中間部材３０３、３０４は、それぞれ一方では連結部材３１０の、他方ではフェンダーの支持装置３０１の機械的強度に対して、著しく低い機械的強度を有する。この実施例においては、連結部材３１０は、互いに連結部材３１０の反対側に位置する２つの中間部材３０３、３０４によって、本体３０２に連結される。中間部材３０３、３０４の機械的強度が低いという特徴のために、断面がＨ形をなす中間部材３０３、３０４は、連結部材３１０に充分な強さの力が加えられるようになったときには、フェンダーの支持装置３０１の他のあらゆる部分よりも前に破断するようになる。中間部材３０３、３０４は、ヒューズ部としての機能を有する。
【００３４】
フェンダーの支持装置２０１、３０１が単体ブロックから形成されないときには、異なる材料の組み合わせが全面的に可能であることを評価するべきである。例えば第３の実施の形態の枠内において、金属製の連結部材３１０の、同じく金属製の本体３０２との、プラスチック製の中間部材３０３、３０４による連結を考慮することが完全に可能である。
【００３５】
図２及び６〜８に明確に見られるように、フェンダーの支持装置１は、概ね各連結部材１０ａ、１０ｂの直下に設けられた、自由空間２０ａ、２０ｂを有利に有する。各自由空間２０ａ、２０ｂは、従って、分離後の連結部材１０ａ、１０ｂの、フェンダーの支持装置１の本体２の中への、少なくとも部分的な押し込みを可能にする。
【００３６】
望ましくは、自由空間２０ａ、２０ｂは、分離後の連結部材１０ａ、１０ｂを完全に受け迎え入れることができるように設けられる。換言すれば、自由空間２０ａ、２０ｂは、それらが連接される連結部材１０ａ、１０ｂの大きさに概ね相当する寸法を有する。
【００３７】
しかしながら、連結部材の大きさに相当する寸法の自由空間を設けることができない場合における本発明の１変形においては、フェンダーの支持装置に、分離後に、フェンダーの支持装置の中における移動方向に概ね沿って変形可能な、少なくとも１つの連結部材を有利にあらかじめ設ける。このため、各連結部材は、比較的低い構造的な剛性を付与され、このことは、各連結部材に所定の強さの力が加えられたときに、連結部材の圧壊による、特に高さのレベルにおける全体的な大きさの減少を可能にする。従って、連結部材は、フェンダーの支持装置の本体の中に設けられた、減少された寸法の自由空間の中へ、完全に引き込むことができる。
【００３８】
図６〜８は、フェンダーの支持装置１の本体２の中への連結部材１０ａ、１０ｂの引き込みの原理を全面的に示す。
【００３９】
図６は、まさしく衝突の瞬間に該当する。歩行者の頭部はフェンダー３１の上部３４に接触しているが、連結部材１０ａは、幾らかの変形、ましてや破断領域３、４の高さにおける破断をもたらすことが可能な圧力を未だ受けていない。
【００４０】
これに対し図７においては、衝突による圧力は、連結部材１０ａは極めて高い剛性を有するので、連結部材１０ａを介して破断領域３、４へ伝達される。そこで、破断領域３、４は、特に前面に図示されているように、変形して、破砕し始める。連結部材１０ａは、フェンダーの支持装置１の本体２の中に有利に設けられた自由空間２０ａの中へ漸進的に入り込み始める。
【００４１】
図８に示すように、続行する衝撃によって、２つの破断領域３、４の完全な破断がもたらされる。連結部材１０ａは、組立体の硬化を生じることなく、本体２の中を自由に降下する。フェンダー３１とフード３２は常にボディの構造に取り付けられているので、フェンダー３１と、場合によってはフード３２の剛性だけが作用する。この結果、衝撃の発達段階においては、フェンダー３１とフード３２のみが、それらが変形されるようになるのに応じて、緩衝装置の機能を果たす。連結部材１０ａは、一方では、フェンダーの支持装置１の本体２にもはや連結されておらず、他方では、このために設けられた自由空間２０ａの中へ自由に入り込むことができるので、いかなる理由においても、堅固な点を構成することはない。
【００４２】
図９は、新たな例として、技術的前面９１と呼ばれるフードの支持の上に載置された前部のフード９０が設けられた自動車３０の前部を示す。この技術的前面９１は、前部横桁に連結され、この前部横桁自身は自動車３０の縦桁９３に連結される。フード９０に衝突する歩行者との前面衝突の際には、フード９０は、可能な限り技術的前面９１の近くで撓む必要がある。このため、及び本発明にしたがって、連結部材９４、９５は、技術的前面９１の本体９２から離れることが可能である。より詳細には、前部のフード９０の固定を可能にする錠９６が設けられた連結部材９４は、自由空間９７の中へ引き込んで前部のフード９０を降下させるために、技術的前面９１から分離するようになされている。有利には、錠９６は、フード９０及び連結部材９４に連結されたままフード９０と共に降下する。連結部材９４、９５は、図３〜５を参照して先に説明した製作形状を有することができる。
【００４３】
提示された実施の形態の全体において、使用材料及び衝突速度は、本発明の概念を何ら変更するものではないことが理解されるであろう。
【００４４】
勿論、本発明は、上述したようなボディの部品の少なくとも１つの支持装置１、９１、１０１、２０１、３０１が設けられた、あらゆる自動車３０に関する。ここに、自動車３０はエンジンのタイプに関係なく、また車両の大きさや重量に関係なく、あらゆるエンジン付きの車両、すなわちエンジンによって自身を前進させることが可能なあらゆる走行機械に関することに注意するべきである。従って、自動車は、例えば、乗用車、営業用車両、トラック、バスも意味する。
【図１】
0004452713.tif 000002
【図２】
0004452713.tif 000003
【図３】
0004452713.tif 000004
【図４】
0004452713.tif 000005
【図５】
0004452713.tif 000006
【図６】
0004452713.tif 000007
【図７】
0004452713.tif 000008
【図８】
0004452713.tif 000009
【図９】
0004452713.tif 000010